(57)【特許請求の範囲】
【請求項１】
魚釣りに用いる釣竿であって、
先細り筒状の竿体と、
前記竿体の竿元側端部に設けられ周方向に分散して配置された複数の保持孔を有するバランサ保持体と、
前記保持孔に脱着自在に挿入されるバランサと
を備えた釣竿。
【請求項２】
前記バランサ保持体は、前記竿体の軸方向断面視において少なくとも上下左右縁部に分散して配置された複数の保持孔を有している、請求項１に記載の釣竿。
【請求項３】
前記バランサ保持体は、前記竿体の軸方向断面視において蜂の巣状に配置された複数の保持孔を有している、請求項１に記載の釣竿。
【請求項４】
前記バランサはバレット状金属である、請求項１〜３の何れかに記載の釣竿。
【発明の詳細な説明】
【０００１】
【発明の属する技術分野】
本発明は、魚釣りに用いる釣竿に関する。
【０００２】
【従来の技術】
一般に釣竿は、先細り筒状部材である竿体と、竿体の竿元側周面に設けられリールを脱着自在に装着可能なリールシートと、竿体上に間隔を隔てて配置された釣糸ガイドとを有している。そして、リールからの釣糸を順次釣糸ガイドを通じて穂先側に導いて釣りをおこなうことになる。
【０００３】
近年、釣竿の軽量化が図られて竿体自体の重さは比較的軽量化されてきている。しかし、この竿体の軽量化はリールと竿体との重量差を拡大するため、リールを竿体に装着した際の釣竿全体の重量バランスに釣人が違和感を覚える場合がある。そこで、竿体の竿元側端部にリング状の錘を任意に装着して釣竿全体の重量バランスをとり得る釣竿が知られている。
【０００４】
【発明が解決しようとする課題】
従来のリング状の錘を竿体の竿元側端部に任意に装着するタイプの釣竿では、軸方向においてリールシートを中心とした穂先側端部と竿元側端部との重量バランスを調整することは可能となる。
しかし、竿体の周方向における微妙な重量バランスは十分に調整できていない。竿体の軸方向における重量バランスのみではなく周方向における重量バランスも、キャスティングやリトリーブ等の釣り操作に重要な影響を与えるものである。
【０００５】
本発明の課題は、釣竿全体の重量バランスを良好に調整可能な釣竿を提供することにある。
【０００６】
【課題を解決するための手段】
発明１にかかる釣竿は、魚釣りに用いる釣竿であって、先細り筒状の竿体と、竿体の竿元側端部に設けられ周方向に分散して配置された複数の保持孔を有するバランサ保持体と、保持孔に脱着自在に挿入されるバランサとを備えている。
この釣竿では、釣りをおこなう際に釣人は自らの釣り操作感覚にフィットするように、バランサ保持体の保持孔にバランサを挿入する。この保持孔にバランサを挿入することで、まず穂先側端部と竿元側端部との軸方向での重量バランスを調整できる。さらに、この保持孔は周方向に分散して複数箇所に設けられており、周方向において任意の保持孔にバランサを挿入することで、周方向においても微妙な重量バランスをとることができる。
【０００７】
発明２にかかる釣竿は、発明１の釣竿であって、バランサ保持体は、竿体の軸方向断面視において少なくとも上下左右縁部に分散して配置された複数の保持孔を有している。
この場合には、竿体の軸方向断面視において少なくとも上下左右縁部に分散して配置された複数の保持孔にバランサを任意に挿入することで、軸方向での重量バランスと共に周方向においても微妙な重量バランスをとることができる。
【０００８】
発明３にかかる釣竿は、発明１の釣竿であって、バランサ保持体は、竿体の軸方向断面視において蜂の巣状に配置された複数の保持孔を有している。
この場合には、保持孔が蜂の巣状に配置されており、竿体の軸方向断面視において隙間なく保持孔が存在するので、さらに微妙に３次元的な重量バランスをとることができる。
【０００９】
発明４にかかる釣竿は、発明１〜３の何れかの釣竿であって、バランサはバレット状金属である。
この場合には、バランサがバレット状であり保持孔に脱着しやすく、また、釣竿のバランスをとる操作自体に面白さを付加できる。
【００１０】
【発明の実施の形態】
［第１実施形態］
以下、本発明の第１実施形態について図面を参照しつつ説明する。
本発明の第１実施形態を採用した釣竿は、図１に示すように、元竿１と、元竿１の穂先側に連結される複数の竿体からなる竿体ユニット２とを有している。この元竿１は、竿元側端部に配置されたグリップ３と、グリップ３の穂先側に設けられリール（図示せず）を装着可能なリールシート４と、竿元側端部に脱着自在に装着される尻栓５とを有している。また、後述のように、元竿１の竿元側端部内にはバランサ保持体１０が設けられている（図２等参照）。
【００１１】
元竿１，竿体ユニット２は、それぞれ炭素繊維やガラス繊維に合成樹脂を含浸させたプリプレグをマンドレルに巻回して焼成して得られた先細り筒状部材である。また、元竿１及び竿体ユニット２には釣糸を挿通可能な釣糸ガイド６が所定の間隔を隔てて複数設けられている。そして、リール３からの釣糸は順次釣糸ガイド６を通って穂先側に導かれている。
【００１２】
グリップ３は、天然ゴム，スチレンゴムやブタジエンゴム等の合成ゴム，ＥＶＡ樹脂またはコルク等の木材からなるの円筒型部材であって、元竿１の所定の位置にはめ込まれて接着材等で固定されている。また、リールシート４は元竿１の所定の位置に合成樹脂または金属製部材を射出成型したものであり、リールの脚部を脱着自在に固定可能である。
【００１３】
図２及び図３に示すように、元竿１の竿元側外周面には外周面にねじ山を有する雄ねじ部材１１が接着剤等により固定されており、この雄ねじ部材１１に内面に雌ねじ部を有する尻栓５が脱着自在に装着される。そして、尻栓５を元竿１から外した際の元竿１の竿元側端部内にはバランサ保持体１０が配置されている。
バランサ保持体１０は合成樹脂等から構成される略円筒型部材であり、元竿１の竿元側端面よりやや穂先側に押し込まれるようにして元竿１の竿元側端部内に配置され接着剤等で固定されている。このバランサ保持体１０の竿元側端端面には複数の保持孔１０ａが軸方向に向かって形成されている。詳しくは、竿元側からの軸方向視において上下左右方向縁部（例えば、リールシート４が形成された方向を上下方向とする）にそれぞれ保持孔１０ａが形成されている。
【００１４】
また、図３に示すように、バランサ１２は頭端側が丸く基端側にフランジ１２ａを有するバレット状の部材である。例えば、鉛やタングステン等の金属から構成され、頭端側から保持孔１０ａにフランジ１２ａを除いて挿入可能となっている。
このように構成された釣竿では、釣りをおこなう際に釣人は自らの釣り操作感覚にフィットするように釣竿全体のバランスを調整して釣りをおこなう。具体的には、尻栓５を元竿１から取り外し、バランサ保持体１０の任意の保持孔１０ａにバランサ１２を挿入する。そして、その後尻栓５を元竿１に再度装着して釣りをおこなう。
【００１５】
この保持孔１０ａにバランサ１２を挿入することで、まず釣竿全体の穂先側端部と竿元側端部との軸方向での重量バランスを調整できる。さらに、この保持孔１０ａは上下左右方向に分散して設けられており、周方向において任意の保持孔１０ａにバランサ１２を挿入することで、周方向においても微妙な重量バランスをとることができる。もっとも、必要に応じて全ての保持孔１０ａにバランサ１２を挿入してもよい。
【００１６】
［第２実施形態］
以下、本発明の第２実施形態について図面を参照しつつ説明する。
本発明の第２実施形態を採用した釣竿は、第１実施形態と同様に、元竿１と、元竿１の穂先側に連結される複数の竿体からなる竿体ユニット２とを有している。この元竿１は、図４に示すように竿元側端部内周面に配置された雌ねじ部材２５を有し、この雌ねじ部材２５にバランサ保持体２０が脱着自在に装着されている。
【００１７】
図４及び図５に示すように、バランサ保持体２０は合成樹脂等から構成される略円筒型部材であり、雌ねじ部材２５に螺合する雄ねじ部２２と、雄ねじ部２２の竿元側に連続して形成された本体部２１と、本体部２１の竿元側端面の周縁に設けられた回動軸２４と、本体部２１の竿元側端面を覆うように配置され回動軸２４を中心に回動自在な回動蓋２３とを有している。
【００１８】
本体部２１は竿元側端面が軸方向に傾斜するように形成されており、この竿元側端面には蜂の巣状に配置された複数の保持孔２１ａが軸方向に向けて形成されている。この保持孔２１ａは本体部２１の竿元側端面をほぼ全体的に覆うように配置される。この本体部２１の竿元側端面の傾斜の上縁に回動軸２４が配置されている。また、回動蓋２３は本体部２１の竿元側端面形状に合致する楕円型の薄板部材である。回動軸２４において本体部２１に連結され、本体部２１の竿元側端面に沿って回動しつつ開閉される。
【００１９】
図５に示すように、バランサ３２は保持孔２１ａの形状に合致するように形成された水晶型六角柱状の部材である。鉛やタングステンまたはこれらの合金等から構成される。
このように構成された釣竿では、第１実施形態と同様にして釣りをおこなう際に釣人は自らの釣り操作感覚にフィットするように釣竿全体のバランスを調整して釣りをおこなう。具体的には、回動蓋２３を回動させてバランサ保持体２０の本体部２１を露出させる。そして、本体部２１の任意の保持孔２１ａにバランサ３２を挿入し、その後回動蓋２３を再び回動させて閉塞する。
【００２０】
この保持孔２１ａにバランサ３２を挿入することで、まず釣竿全体の穂先側端部と竿元側端部との軸方向での重量バランスを調整できる。さらに、この保持孔２１ａは周方向に分散して蜂の巣状に設けられており、周方向において任意の保持孔２１ａにバランサ３２を挿入することで、周方向においても微妙な重量バランスをとることができる。
【００２１】
なお、本実施形態におけるバランサ保持体２０は元竿１に雄ねじ部２２で脱着自在に装着されており、不要な場合は、通常の尻栓と差し替えることも可能である。
［他の実施形態］
（ａ）バランサを単一種類のみで構成するのではなく、重さの異なる種々のバランサを用意して、これを用いて釣竿全体のバランスを調整してもよい。
（ｂ）保持孔の位置及び数は任意に設定可能である。
【００２２】
【発明の効果】
本発明にかかる釣竿によれば、釣竿全体のバランスを良好に調整可能である。
【図面の簡単な説明】
【図１】本発明の第１実施形態を採用した釣竿の全体図。
【図２】本発明の第１実施形態を採用した元竿の竿元側付近の拡大断面図。
【図３】図２の参考図。
【図４】本発明の第３実施形態を採用した元竿の竿元側付近の拡大断面図。
【図５】図４の参照図。
【符号の説明】
１  元竿
２  竿体ユニット
１０，２０  バランサ保持体
１０ａ，２１ａ  保持孔
１２，３２  バランサ
【図１】
0004251593.tif 000002
【図２】
0004251593.tif 000003
【図３】
0004251593.tif 000004
【図４】
0004251593.tif 000005
【図５】
0004251593.tif 000006